(57)【要約】【課題】建物意匠の限定がなく、しかも、固定ボルトまたは外壁の破壊の恐れがない付帯物を取り付けた建物を提供することにある。【解決手段】外壁１を介して付帯物２を建物構造体３に取り付けた建物であって、外壁１の裏面に裏当て金具４を取り付け、建物構造体３に固定金具５を取り付け、外壁１の表面側から取り付けた付帯物２を外壁１を介して裏当て金具４に固定し、外壁１と建物構造体３が水平方向に相対移動可能なように、裏当て金具４と固定金具５を互いに嵌合状態で上下に連結してなることを特徴とする。【選択図】  図１
2005023591.tif 000002
【特許請求の範囲】
【請求項１】
外壁を介して付帯物を建物構造体に取り付けた建物であって、外壁裏面に裏当て金具を取り付け、建物構造体に固定金具を取り付け、外壁表面側から取り付けた付帯物を外壁を介して裏当て金具に固定し、外壁と建物構造体が水平方向に相対移動可能なように、裏当て金具と固定金具を互いに嵌合状態で上下に連結してなることを特徴とする建物。
【請求項２】
裏当て金具は、裏当て板と、裏当て板の一側に段差を付けて略平行に突設された外壁側突出片とからなり、固定金具は、固定板と、固定板の一側に段差を付けて略平行に突設された構造体側突出片とからなり、
裏当て金具は、裏当て板を外壁裏面に固定し、外壁側突出片の先端を下方に向けて取り付けられ、固定金具は、固定板を建物構造体に固定し、構造体側突出片の先端を上方に向けて取り付けられ、裏当て金具の外壁側突出片は、固定金具の構造体側突出片と建物構造体との間に形成された隙間に挿入されていることを特徴とする請求項１記載の建物。
【発明の詳細な説明】
【０００１】
【発明の属する技術分野】
本発明は、付帯物を取り付けた建物に関する。
【０００２】
【従来の技術】
付帯物を取り付けた建物として、従来技術１に記載されたものが知られている。上記従来技術１記載のものは、建物本体に付設する付属建物本体であって、一対の袖壁体と屋根体を逆Ｕ字状に組み立てたもので、袖壁体が建物本体の側壁延長部を構成し、屋根体が建物本体の屋根延長部を構成するようにしたものである。
【０００３】
【特許文献１】
特開昭５６−１２２４４０号公報
【０００４】
【発明が解決しようとする課題】
しかしながら、上記特許文献１記載のような従来技術にあっては、一対の袖壁体と屋根体を逆Ｕ字状に組み立てたものであるから、付帯物の構成と、この付帯物を取り付けた建物の意匠は限定されたものとなる。
そこで、建物の意匠の限定がないように、外壁を介して建物構造体に付帯物を固定するようにすると、熱膨張の差異等によって外壁と建物構造体との間に発生する層間変形に追従できなくなり、固定ボルトまたは外壁が破壊するという恐れがあった。
【０００５】
本発明の課題は、建物意匠の限定がなく、しかも、固定ボルトまたは外壁の破壊の恐れがない付帯物を取り付けた建物を提供することにある。
【０００６】
【課題を解決するための手段】
請求項１記載の発明は、外壁を介して付帯物を建物構造体に取り付けた建物であって、外壁裏面に裏当て金具を取り付け、建物構造体に固定金具を取り付け、外壁表面側から取り付けた付帯物を外壁を介して裏当て金具に固定し、外壁と建物構造体が水平方向に相対移動可能なように、裏当て金具と固定金具を互いに嵌合状態で上下に連結してなることを特徴とする。
【０００７】
請求項２記載の発明は、請求項１記載の建物において、裏当て金具は、裏当て板と、裏当て板の一側に段差を付けて略平行に突設された外壁側突出片とからなり、固定金具は、固定板と、固定板の一側に段差を付けて略平行に突設された構造体側突出片とからなり、裏当て金具は、裏当て板を外壁裏面に固定し、外壁側突出片の先端を下方に向けて取り付けられ、固定金具は、固定板を建物構造体に固定し、構造体側突出片の先端を上方に向けて取り付けられ、裏当て金具の外壁側突出片は、固定金具の構造体側突出片と建物構造体との間に形成された隙間に挿入されていることを特徴とする
【０００８】
（作用）
請求項１記載の本発明の建物によると、外壁表面側から取り付けた付帯物を外壁を介して裏当て金具に固定するので、付帯物の形状、取付位置等の制約はなく、従来技術１のような、付帯物や建物意匠に限定はない。
そして、外壁と建物構造体が水平方向に相対移動可能なように、裏当て金具と固定金具を互いに嵌合状態で上下に連結するので、外壁と建物構造体の間に発生する層間変形に追従でき、固定ボルトまたは外壁の破壊の恐れがない。
【０００９】
請求項２記載の本発明の建物によると、さらに、裏当て金具は、裏当て板を外壁裏面に固定し、外壁側突出片の先端を下方に向けて取り付けられるので、外壁側突出片と外壁裏面との間に隙間が形成される。同様に、固定金具は、固定板を建物構造体に固定し、構造体側突出片の先端を上方に向けて取り付けられるので、構造体側突出片と建物構造体との間に隙間が形成される。
そして、裏当て金具の外壁側突出片は、構造体側突出片と建物構造体との間に形成された上記隙間に挿入され、固定金具の構造体側突出片は、外壁側突出片と外壁裏面との間に形成された上記隙間に挿入される。
このため、外壁と建物構造体が水平方向に相対移動可能な状態で、裏当て金具と固定金具は互いに嵌合状態で上下に連結され、外壁と建物構造体の間に発生する層間変形に確実に追従できるとともに、外壁側突出片を前記隙間に挿入するだけであるから、クレーン等を利用して付帯物を設けた外壁を容易に取り付けできる。
【００１０】
【発明の実施の形態】
図１〜図３は、本発明の一実施の形態であり、図１は付帯物を取り付けた建物の要部縦断面図である。図２は外壁と建物構造体の動きを説明する説明図である。図３（ａ）は裏当て金具、（ｂ）は固定金具の斜視図である。
【００１１】
本実施の形態の建物は、図１に示すように、外壁１を介して付帯物２を建物構造体３に取り付けたものである。
上記外壁１は、金属製枠体に木片セメント板等の外壁面材を張り付けてパネル状とした外壁パネル、下地板の表面に磁気タイル等を張り付けたタイル張り外壁パネル、ＡＬＣ板（オートクレーブ養生の軽量コンクリート板）、プレキャストコンクリート板等のいずれであってもよい。
【００１２】
上記付帯物２は、開口部の上方に設ける庇であるが、バルコニー、外廊下、屋外階段、出窓、空調室外機等の設備機器等、建物の屋外に設けるものであればいずれであってもよい。
【００１３】
上記建物構造体３は、断面略コの字形の形鋼で形成された梁であるが、Ｌ形鋼、Ｈ形鋼、角鋼管等や、コンクリート梁、構造用製材で形成された木製梁であってもよい。また、建物構造体３は、上記のような梁の他、水平方向に設ける横架材、垂直方向の柱、間柱等でもよく、特に限定しない。
【００１４】
外壁１の裏面には、裏当て金具４が取り付けられ、建物構造体３には、固定金具５が取り付けられている。
外壁１の表面側から取り付けた付帯物２は、外壁１を介して上記裏当て金具４に固定され、図２に示すように、外壁１と建物構造体３が水平方向に相対移動可能なように、裏当て金具４と固定金具５は互いに嵌合状態で上下に連結されている。
【００１５】
具体的な構成を、図３（ａ）に示す裏当て金具４と、図３（ｂ）に示す固定金具５とを参照して説明する。
裏当て金具４は、鋼板を折り曲げたもので、略四角形の裏当て板４１と、裏当て板４１の一側に段差を付けて裏当て板４１と略平行に突設された略四角形の外壁側突出片４２とからなる。裏当て板４１には４つのボルト孔４３が形成されている。
固定金具５は、鋼板を折り曲げたもので、略四角形の固定板５１と、固定板５１の一側に段差を付けて固定板５１と略平行に突設された略四角形の構造体側突出片５２とからなる。固定板５１には４つのボルト孔５３が形成されている。
【００１６】
上記裏当て金具４は、図１に示すように、裏当て板４１を外壁１の裏面に六角ボルト６で固定し、外壁側突出片４２の先端を下方に向けて取り付けられる。
上記六角ボルト６は、その軸部が裏当て板４１のボルト孔４３に挿入され、外壁１を貫通して付帯物２にねじ込まれ、頭部がボルト孔４３の周縁に係止されて固定される。
上記固定金具５は、上記と同様、固定板５１を建物構造体３にボルト７で固定し、構造体側突出片５２の先端を上方に向けて取り付けられる。
裏当て金具４の外壁側突出片４２は、固定金具５の構造体側突出片５２と建物構造体３との間に形成された隙間に挿入されている。
【００１７】
つぎに、上記構成になされた建物の構築方法について説明する。
まず、天井梁である建物構造体３に、長手方向に沿って複数個の固定金具５を適宜の間隔を設けて予め固定しておく。
そして、上記固定金具５の取付位置に対応する外壁１の上端部に、複数個の裏当て金具４を配置し、裏当て板４１のボルト孔４３に挿入した六角ボルト６を外壁１を貫通して付帯物２にねじ込み、付帯物２を外壁１の表面に取り付ける。
上記のようにして付帯物２を取り付けた外壁１を、クレーン等を使用して吊り上げ、裏当て金具４の外壁側突出片４２を、固定金具５の構造体側突出片５２と建物構造体３との間に形成された隙間に挿入して、外壁１を建物構造体３に吊り下げるようにして取り付ける。
上記のようにして取り付けた外壁１の下端部は、床梁等の建物構造体（不図示）に取り付けられる。この際、外壁１の裏面と床梁との間には、裏当て金具４（または固定金具５）の厚み分に略相当する隙間が形成されているので、スペーサー等を介在させて取り付けるようにすればよい。
上記外壁１の下端部の取付にボルト等を使用する場合、このボルトの挿通孔を長孔にする等して、外壁１と建物構造体３の水平方向の相対移動を阻害しないようにするのがよい。
【００１８】
（実施の形態の作用）
本実施の形態の建物によると、外壁１の表面側から取り付けた付帯物２を外壁１を介して裏当て金具４に固定するので、付帯物２の形状、取付位置等の制約はなく、付帯物２を取り付けた建物意匠にも限定はない。
そして、外壁１と建物構造体３とは、図２に示すように、方向が逆の矢印Ａ，Ｂのごとき異なった動きをする場合がある（例えば、熱膨張率の違い等）。このような場合、外壁１と建物構造体３が水平方向に相対移動可能なように、裏当て金具４と固定金具５を互いに嵌合状態で上下に連結するので、外壁１と建物構造体３の間に発生する層間変形に追従でき、固定ボルトまたは外壁１の破壊の恐れがない。
【００１９】
本実施の形態の建物によると、さらに、裏当て金具４は、裏当て板４１を外壁１の裏面に固定し、外壁側突出片４２の先端を下方に向けて取り付けられるので、外壁側突出片４２と外壁１の裏面との間に隙間が形成される。
同様に、固定金具５は、固定板５１を建物構造体３に固定し、構造体側突出片５２の先端を上方に向けて取り付けられるので、構造体側突出片５２と建物構造体３との間に隙間が形成される。
そして、裏当て金具４の外壁側突出片４２は、構造体側突出片５２と建物構造体３との間に形成された上記隙間に挿入され、固定金具５の構造体側突出片５２は、外壁側突出片４２と外壁１の裏面との間に形成された上記隙間に挿入される。
このため、外壁１と建物構造体３が水平方向に相対移動可能な状態で、裏当て金具４と固定金具５は互いに嵌合状態で上下に連結され、外壁１と建物構造体３の間に発生する層間変形に確実に追従できるとともに、外壁側突出片４２を前記隙間に挿入するだけであるから、クレーン等を利用して付帯物２を設けた外壁１を容易に取り付けできる。
【００２０】
以上、本発明の一実施の形態を図面により詳述したが、本発明の具体的な構成はこの実施の形態に限られるものではなく、本発明の要旨を逸脱しない範囲の設計の変更等があっても本発明に含まれる。
例えば、本実施の形態では、裏当て金具４と、固定金具５は、いずれも、幅の狭い短尺のものを複数個取り付けるようにしたが、外壁の幅に相当する長尺のものであってもよい。
【００２１】
【発明の効果】
請求項１記載の本発明の建物によると、付帯物の形状、取付位置等の制約はなく、付帯物や建物意匠に限定はない。
そして、外壁と建物構造体の間に発生する層間変形に追従でき、固定ボルトまたは外壁の破壊の恐れがない。
【００２２】
請求項２記載の本発明の建物によると、さらに、外壁と建物構造体の間に発生する層間変形に確実に追従できるとともに、外壁側突出片を前記隙間に挿入するだけであるから、付帯物を設けた外壁を容易に取り付けできる。
【図面の簡単な説明】
【図１】本発明の一実施の形態であり、付帯物を取り付けた建物の要部縦断面図である。
【図２】外壁と建物構造体の動きを説明する説明図である。
【図３】（ａ）は裏当て金具、（ｂ）は固定金具の斜視図である。
【符号の説明】
１    外壁
２    付帯物
３    建物構造体（梁）
４    裏当て金具
４１    裏当て板
４２    外壁側突出片
５    固定金具
５１    固定板
５２    構造体側突出片
【図１】
2005023591.tif 000003
【図２】
2005023591.tif 000004
【図３】
2005023591.tif 000005